(57)【要約】【課題】パビリオンの来場者に効果的なコンテンツを表示することが可能なコンピュータシステム。パビリオンコンテンツ変更方法及びプログラムを提供することを目的とする。【解決手段】パビリオンの来場者の属性によってコンテンツを変更するコンピュータシステムは、前記来場者の属性を取得し、前記属性に応じてコンテンツを選択し、選択した前記コンテンツを、前記パビリオンの会場に表示し、表示した前記コンテンツが人気があるかないかを判定し、人気がないと判定された場合に、表示した前記コンテンツとは別のコンテンツを表示するように変更する。【選択図】図１
2018216213.tif 000002
【特許請求の範囲】
【請求項１】
パビリオンの来場者の属性によってコンテンツを変更するコンピュータシステムであって、
前記来場者の属性を取得する取得手段と、
前記属性に応じてコンテンツを選択する選択手段と、
選択した前記コンテンツを、前記パビリオンの会場に表示する表示手段と、
表示した前記コンテンツが人気があるかないかを判定する判定手段と、
人気がないと判定された場合に、表示した前記コンテンツとは別のコンテンツを表示するように変更する変更手段と、
を備えることを特徴とするコンピュータシステム。
【請求項２】
前記取得手段は、事前アンケートから来場者の属性を取得する、
ことを特徴とする請求項１に記載のコンピュータシステム。
【請求項３】
前記取得手段は、入場者に顔認識を行って来場者の属性を取得する、
ことを特徴とする請求項１に記載のコンピュータシステム。
【請求項４】
前記選択手段は、来場者の職業に適した前記コンテンツを選択する、
ことを特徴とする請求項１に記載のコンピュータシステム。
【請求項５】
前記選択手段は、来場者の年齢に適した前記コンテンツを選択する、
ことを特徴とする請求項１に記載のコンピュータシステム。
【請求項６】
前記選択手段は、来場者の家族連れに適した前記コンテンツを選択する、
ことを特徴とする請求項１に記載のコンピュータシステム。
【請求項７】
前記選択手段は、来場者の集団人数に適した前記コンテンツを選択する、
ことを特徴とする請求項１に記載のコンピュータシステム。
【請求項８】
前記選択手段は、来場者の出身地に適した前記コンテンツを選択する、
ことを特徴とする請求項１に記載のコンピュータシステム。
【請求項９】
前記選択手段は、来場者が興味を持っている分野に適した前記コンテンツを選択する、
ことを特徴とする請求項１に記載のコンピュータシステム。
【請求項１０】
前記判定手段は、表示した前記コンテンツを見ている見物人の画像を解析して、見物人数及び見物時間に基づいて、人気があるかないかを判定する、
ことを特徴とする請求項１に記載のコンピュータシステム。
【請求項１１】
前記選択手段は、来場者を撮影した画像から、当該来場者の表情を判断し、判断した表情から前記コンテンツを選択する、
ことを特徴とする請求項１に記載のコンピュータシステム。
【請求項１２】
パビリオンの来場者の属性によってコンテンツを変更するコンピュータシステムが実行するパビリオンコンテンツ変更方法であって、
前記来場者の属性を取得するステップと、
前記属性に応じてコンテンツを選択するステップと、
選択した前記コンテンツを、前記パビリオンの会場に表示するステップと、
表示した前記コンテンツが人気があるかないかを判定するステップと、
人気がないと判定された場合に、表示した前記コンテンツとは別のコンテンツを表示するように変更するステップと、
を備えることを特徴とするパビリオンコンテンツ変更方法。
【請求項１３】
パビリオンの来場者の属性によってコンテンツを変更するコンピュータシステムに、
前記来場者の属性を取得するステップ、
前記属性に応じてコンテンツを選択するステップ、
選択した前記コンテンツを、前記パビリオンの会場に表示するステップ、
表示した前記コンテンツが人気があるかないかを判定するステップ、
人気がないと判定された場合に、表示した前記コンテンツとは別のコンテンツを表示するように変更するステップ、
を実行させるためのコンピュータ読み取り可能なプログラム。
【発明の詳細な説明】
【技術分野】
【０００１】
本発明は、パビリオンの来場者の属性によってコンテンツを変更するコンピュータシステム、パビリオンコンテンツ変更方法及びプログラムに関する。
【背景技術】
【０００２】
近年、パビリオンにおいて、来場者に対して、様々なコンテンツを表示することが行われている。例えば、パビリオンの会場に設けられた各ブースにおいて、各ブースに対応するコンテンツを表示する。【０００３】
パビリオンにおけるコンテンツの表示とは異なるものの、閲覧者に対してコンテンツを表示する構成として、例えば、閲覧者の属性データに基づいて、表示するコンテンツを選択する構成が開示されている（特許文献１参照）。この構成では、集合住宅に住む居住者の属性データに基づいて、特定の集合住宅に設けられた表示器にコンテンツを表示する。
【先行技術文献】
【特許文献】
【０００４】
【特許文献１】特開２０１５−１８５１３９号公報
【発明の概要】
【発明が解決しようとする課題】
【０００５】
しかしながら、従来、パビリオンにおいて表示されるコンテンツは、来場者の属性（例えば、年齢、職業、性別、人数）とは無関係であった。加えて、コンテンツが、必ずしも、来場者の興味をひくものではない場合があった。そのため、パビリオンの来場者に対して、効果的なコンテンツを表示することができなかった。【０００６】
また、特許文献１の構成を、仮にパビリオンのコンテンツを表示する際に適用した場合であっても、各ブースの属性データに基づいて、表示するコンテンツを変更するものに過ぎず、来場者に対して、効果的なコンテンツを表示するものではなかった。【０００７】
本発明は、パビリオンの来場者に効果的なコンテンツを表示することが可能なコンピュータシステム、パビリオンコンテンツ変更方法及びプログラムを提供することを目的とする。
【課題を解決するための手段】
【０００８】
本発明では、以下のような解決手段を提供する。【０００９】
本発明は、パビリオンの来場者の属性によってコンテンツを変更するコンピュータシステムであって、
前記来場者の属性を取得する取得手段と、
前記属性に応じてコンテンツを選択する選択手段と、
選択した前記コンテンツを、前記パビリオンの会場に表示する表示手段と、
表示した前記コンテンツが人気があるかないかを判定する判定手段と、
人気がないと判定された場合に、表示した前記コンテンツとは別のコンテンツを表示するように変更する変更手段と、
を備えることを特徴とするコンピュータシステムを提供する。【００１０】
本発明によれば、パビリオンの来場者の属性によってコンテンツを変更するコンピュータシステムは、前記来場者の属性を取得し、前記属性に応じてコンテンツを選択し、選択した前記コンテンツを、前記パビリオンの会場に表示し、表示した前記コンテンツが人気があるかないかを判定し、人気がないと判定された場合に、表示した前記コンテンツとは別のコンテンツを表示するように変更する。【００１１】
本発明は、コンピュータシステムのカテゴリであるが、パビリオンコンテンツ変更方法及びプログラム等の他のカテゴリにおいても、そのカテゴリに応じた同様の作用・効果を発揮する。
【発明の効果】
【００１２】
本発明によれば、パビリオンの来場者に効果的なコンテンツを表示することが可能なコンピュータシステム、パビリオンコンテンツ変更方法及びプログラムを提供することが可能となる。
【図面の簡単な説明】
【００１３】
【図１】図１は、パビリオンコンテンツ変更システム１の概要を示す図である。
【図２】図２は、パビリオンコンテンツ変更システム１の全体構成図である。
【図３】図３は、コンピュータ１０、入場端末１００、コンテンツ表示器２００の機能ブロック図である。
【図４】図４は、コンピュータ１０、入場端末１００が実行する属性取得処理を示すフローチャートである。
【図５】図５は、コンピュータ１０が実行するコンテンツ対応付処理を示すフローチャートである。
【図６】図６は、コンピュータ１０、コンテンツ表示器２００が実行するコンテンツ表示処理を示すフローチャートである。
【図７】図７は、コンピュータ１０、コンテンツ表示器２００が実行する第一のコンテンツ変更処理を示すフローチャートである。
【図８】図８は、コンピュータ１０、コンテンツ表示器２００が実行する第二のコンテンツ変更処理を示すフローチャートである。
【発明を実施するための形態】
【００１４】
以下、本発明を実施するための最良の形態について図を参照しながら説明する。なお、これはあくまでも一例であって、本発明の技術的範囲はこれに限られるものではない。
【００１５】
［パビリオンコンテンツ変更システム１の概要］
本発明の好適な実施形態の概要について、図１に基づいて説明する。図１は、本発明の好適な実施形態であるパビリオンコンテンツ変更システム１の概要を説明するための図である。パビリオンコンテンツ変更システム１は、コンピュータ１０、入場端末１００、コンテンツ表示器２００から構成され、パビリオンの来場者の属性によって、コンテンツ表示器２００が表示するコンテンツを変更するコンピュータシステムである。
【００１６】
なお、図１において、コンピュータ１０、入場端末１００、コンテンツ表示器２００の数は、適宜変更可能である。また、コンピュータ１０、入場端末１００、コンテンツ表示器２００は、実在する装置に限らず、仮想的な装置であってもよい。また、後述する各処理は、コンピュータ１０、入場端末１００、コンテンツ表示器２００のいずれか又は複数の組み合わせにより実現されてもよい。
【００１７】
コンピュータ１０は、入場端末１００、コンテンツ表示器２００とデータ通信可能に接続されたコンピュータ装置である。コンピュータ１０は、画像解析、各種計算等の各種処理を実行する。
【００１８】
入場端末１００は、コンピュータ１０、コンテンツ表示器２００とデータ通信可能に接続された端末装置である。入場端末１００は、パビリオンの会場に入場する際のゲートや受付に設けられた端末装置等である。
【００１９】
コンテンツ表示器２００は、コンピュータ１０、入場端末１００とデータ通信可能に接続され、コンピュータ１０が送信するコンテンツや自身が記憶するコンテンツを表示する機能を有した表示装置である。コンテンツ表示器２００が表示するコンテンツは、例えば、映像、音声である。なお、このコンテンツ表示器２００は、来場者が所持する携帯端末や、ウェアラブル端末等であってもよい。
【００２０】
コンピュータ１０は、来場者の属性を取得する（ステップＳ０１）。来場者の属性とは、例えば、来場者の性別、年齢、職業、住所、同伴者数（家族連れである場合、この人数、集団である場合、集団の人数等）、出身地、興味を持っている分野、見物人数、見物時間、表情である。コンピュータ１０は、この属性を、予め来場者から受け付けた事前アンケート結果（各属性の質問に対する回答結果）、入場端末１００により入力を受け付けたアンケート結果、入場端末１００が有する撮影装置等により撮影した来場者の動画や静止画等の来場者画像を取得し、この来場者画像を画像解析した結果（例えば、顔認識、年齢判別、同伴者数判別）から取得する。
【００２１】
コンピュータ１０は、取得した属性に応じてコンテンツ表示器２００に表示させるコンテンツを選択する（ステップＳ０２）。コンピュータ１０は、例えば、来場者の職業、年齢、家族連れであるか、集団の人数、出身地、興味を持っている分野又は表情に適したコンテンツを選択する。このとき、コンピュータ１０は、これらのうちの何れか又は複数の組み合わせにより、来場者に適したコンテンツを選択する。
【００２２】
コンピュータ１０は、選択したコンテンツを、コンテンツ表示器２００に送信する（ステップＳ０３）。
【００２３】
コンテンツ表示器２００は、コンテンツを、受信する。コンテンツ表示器２００は、受信したコンテンツに基づいて、コンテンツを表示する（ステップＳ０４）。パビリオンコンテンツ変更システム１は、コンテンツ表示器２００によりコンテンツを表示することにより、パビリオンの会場にコンテンツを表示する。
【００２４】
コンピュータ１０は、現在コンテンツ表示器２００が表示するコンテンツが人気があるかないかを判定する（ステップＳ０５）。
【００２５】
例えば、コンテンツ表示器２００は、表示したコンテンツを閲覧する見物人を、自身が有する撮影装置により撮影する。コンテンツ表示器２００は、所定時間毎又は常に見物人を撮影する。コンテンツ表示器２００は、見物人を撮影した見物人画像データを、コンピュータ１０に送信する。
【００２６】
コンピュータ１０は、見物人画像データを受信する。コンピュータ１０は、見物人画像データを画像解析することにより、見物人の人数及び見物時間を示す見物データを算出する。コンピュータ１０は、見物人画像データに含まれる見物人毎に、見物時間を算出する。この見物時間の算出は、例えば、対象とする見物人を最初に認識した時点から、この見物人が見物画像データに含まれなくなった時点の経過時間を算出することにより行われる。コンピュータ１０は、算出した見物人の人数及び見物時間に基づいて、現在コンテンツ表示器２００が表示するコンテンツが人気があるかないかを判断する。例えば、コンピュータ１０は、見物人の人数が所定人数以上及び見物時間が所定時間以上である場合、現在コンテンツ表示器２００が表示するコンテンツは人気があると判断し、見物人の人数が所定人数よりも少ない及び見物時間が所定時間よりも少ない場合、このコンテンツは人気がないと判断する。
【００２７】
コンピュータ１０は、現在コンテンツ表示器２００が表示するコンテンツは人気がないと判断した場合、このコンテンツとは別のコンテンツを選択し、コンテンツ表示器２００に、選択した別のコンテンツを送信する（ステップＳ０６）。このとき、コンピュータ１０は、上述した属性に応じた前回送信したコンテンツとは別のコンテンツを送信する。
【００２８】
コンテンツ表示器２００は、コンテンツを受信する。コンテンツ表示器２００は、このコンテンツに基づいて、表示するコンテンツを変更する（ステップＳ０７）。
【００２９】
以上が、パビリオンコンテンツ変更システム１の概要である。
【００３０】
［パビリオンコンテンツ変更システム１のシステム構成］
図２に基づいて、本発明の好適な実施形態であるパビリオンコンテンツ変更システム１のシステム構成について説明する。図２は、本発明の好適な実施形態であるパビリオンコンテンツ変更システム１のシステム構成を示す図である。パビリオンコンテンツ変更システム１は、コンピュータ１０、入場端末１００、コンテンツ表示器２００、公衆回線網（インターネット網や、第３、第４世代通信網等）５から構成され、パビリオンの来場者の属性によって、コンテンツ表示器２００が表示するコンテンツを変更するコンピュータシステムである。
【００３１】
なお、パビリオンコンテンツ変更システム１を構成する各装置類の数及びその種類は、適宜変更可能である。また、パビリオンコンテンツ変更システム１は、実在する装置に限らず、仮想的な装置類により実現されてもよい。また、後述する各処理は、パビリオンコンテンツ変更システム１を構成する各装置類のいずれか又は複数の組み合わせにより実現されてもよい。
【００３２】
コンピュータ１０は、後述の機能を備えた上述したコンピュータ装置である。
【００３３】
入場端末１００は、後述の機能を備えた上述した端末装置である。
【００３４】
コンテンツ表示器２００は、後述の機能を備えた上述した表示装置である。
【００３５】
［各機能の説明］
図３に基づいて、本発明の好適な実施形態であるパビリオンコンテンツ変更システム１の機能について説明する。図３は、コンピュータ１０、入場端末１００、コンテンツ表示器２００の機能ブロック図を示す図である。
【００３６】
コンピュータ１０は、制御部１１として、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部１２として、他の機器と通信可能にするためのデバイス、例えば、ＩＥＥＥ８０２．１１に準拠したＷｉ―Ｆｉ（Ｗｉｒｅｌｅｓｓ―Ｆｉｄｅｌｉｔｙ）対応デバイス等を備える。また、コンピュータ１０は、記憶部１３として、ハードディスクや半導体メモリ、記録媒体、メモリカード等によるデータのストレージ部を備える。また、コンピュータ１０は、処理部１４として、各種計算、処理等を実行する各種デバイス等を備える。
【００３７】
コンピュータ１０において、制御部１１が所定のプログラムを読み込むことにより、通信部１２と協働して、来場者データ受信モジュール２０、コンテンツ取得モジュール２１、対応属性取得モジュール２２、コンテンツ配信モジュール２３、見物人画像受信モジュール２４を実現する。また、コンピュータ１０において、制御部１１が所定のプログラムを読み込むことにより、記憶部１３と協働して、記憶モジュール３０を実現する。また、コンピュータ１０において、制御部１１が所定のプログラムを読み込むことにより、処理部１４と協働して、顔認識モジュール４０、コンテンツ対応付モジュール４１、コンテンツ選択モジュール４２、見物状況算出モジュール４３、人気判断モジュール４４、コンテンツ変更モジュール４５を実現する。
【００３８】
入場端末１００は、コンピュータ１０と同様に、制御部１１０として、ＣＰＵ、ＲＡＭ、ＲＯＭ等を備え、通信部１２０として、他の機器と通信可能にするためのデバイスを備える。また、入場端末１００は、入出力部１４０として、制御部１１０で制御したデータや画像を出力表示する表示部や、来場者からの入力を受け付けるタッチパネルやキーボード、マウス等の入力部や、来場者を撮影する撮影デバイス等の各種デバイスを備える。
【００３９】
入場端末１００において、制御部１１０が所定のプログラムを読み込むことにより、通信部１２０と協働して、来場者データ送信モジュール１５０を実現する。また、入場端末１００において、制御部１１０が所定のプログラムを読み込むことにより、入出力部１４０と協働して、入力受付モジュール１７０、撮影モジュール１７１を実現する。
【００４０】
コンテンツ表示器２００は、入場端末１００と同様に、制御部２１０として、ＣＰＵ、ＲＡＭ、ＲＯＭ等を備え、通信部２２０として、他の機器と通信可能にするためのデバイスを備え、入出力部２４０として、表示部や、入力部や、撮影デバイス等の各種デバイスを備える。
【００４１】
コンテンツ表示器２００において、制御部２１０が所定のプログラムを読み込むことにより、通信部２２０と協働して、コンテンツ受信モジュール２５０、見物人画像送信モジュール２５１を実現する。また、コンテンツ表示器２００において、制御部２１０が所定のプログラムを読み込むことにより、入出力部２４０と協働して、コンテンツ表示モジュール２７０、撮影モジュール２７１を実現する。
【００４２】
［属性取得処理］
図４に基づいて、パビリオンコンテンツ変更システム１が実行する属性取得処理について説明する。図４は、コンピュータ１０、入場端末１００が実行する属性取得処理のフローチャートを示す図である。上述した各装置のモジュールが実行する処理について、本処理に併せて説明する。
【００４３】
初めに、入力受付モジュール１７０は、来場者の属性の入力を受け付ける（ステップＳ１０）。ステップＳ１０において、入力受付モジュール１７０は、来場者の属性として、性別、年齢、職業、住所、同伴者数（家族の人数、集団の人数等）、出身地、嗜好（興味を持っている分野、趣味、好きなもの等）のいずれか又は複数の組み合わせの入力を受け付ける。
【００４４】
撮影モジュール１７１は、来場者の動画や静止画等の画像を来場者画像として撮影する（ステップＳ１１）。ステップＳ１１において、撮影モジュール１７１は、来場者の顔が含まれる画像を来場者画像として撮影する。撮影モジュール１７１は、例えば、入場端末１００に近接した位置にいる来場者を一の集団として撮影する。この一の集団は、一人の来場者であってもよいし、複数の来場者であってもよい。撮影モジュール１７１は、来場者が家族連れである場合、この家族連れを一の集団として撮影する。また、撮影モジュール１７１は、来場者が複数人の集団である場合、この複数人の集団を、一の集団として撮影する。また、撮影モジュール１７１は、来場者が一人である場合、この一人を、一の集団として撮影する。
【００４５】
なお、ステップＳ１０及びステップＳ１１の処理は、その順番は適宜変更可能である。
【００４６】
来場者データ送信モジュール１５０は、上述した来場者の属性、来場者画像及び現在日時を示す来場者データを、コンピュータ１０に送信する（ステップＳ１２）。
【００４７】
来場者データ受信モジュール２０は、来場者データを受信する。顔認識モジュール４０は、受信した来場者データに基づいて、来場者の顔認識を実行し、来場者の属性を取得する（ステップＳ１３）。ステップＳ１３において、顔認識モジュール４０は、来場者画像を画像解析することにより、顔認識を実行する。顔認識モジュール４０は、顔認識を実行した結果、来場者の属性として、例えば、性別、年齢、同伴者数、表情を取得する。また、来場者データ受信モジュール２０は、来場者データに含まれる入力を受け付けた来場者の属性を取得する。
【００４８】
なお、ステップＳ１３の処理は、コンピュータ１０の代わりに、入場端末１００が実行してもよい。この場合、入場端末１００は、来場者データとして、来場者データ及び顔認識の結果得られた来場者の属性を、コンピュータ１０に送信すればよい。
【００４９】
記憶モジュール３０は、来場者データ及び顔認識の結果得られた来場者の属性を記憶する（ステップＳ１４）。ステップＳ１４において、記憶モジュール３０は、来場者の属性と、来場者画像と、現在日時とを対応付けて記憶する。
【００５０】
以上が、属性取得処理である。
【００５１】
なお、パビリオンコンテンツ変更システム１は、来場者の属性を、入場時以外のタイミングで取得していてもよい。例えば、パビリオンコンテンツ変更システム１は、来場者の属性を、来場者が所持する端末装置等により、事前アンケート等の形式により取得してもよい。この場合、来場者は、来場日時と上述した属性とを事前アンケートとして入力し、パビリオンコンテンツ変更システム１は、この入力を受け付けた事前アンケートを、取得すればよい。具体的には、来場者は、パビリオンのＷｅｂサイト等に端末装置等を介してアクセスし、来場日時及び属性を入力する。コンピュータ１０は、この入力を受け付けた来場日時及び属性を取得すればよい。
【００５２】
［コンテンツ対応付処理］
図５に基づいて、パビリオンコンテンツ変更システム１が実行するコンテンツ対応付処理について説明する。図５は、コンピュータ１０が実行するコンテンツ対応付処理のフローチャートを示す図である。上述した各モジュールが実行する処理について、本処理に併せて説明する。
【００５３】
はじめに、コンテンツ取得モジュール２１は、コンテンツを取得する（ステップＳ２０）。ステップＳ２０において、コンテンツ取得モジュール２１は、コンテンツを展示する展示者や運営者の端末装置から、コンテンツ表示器２００に表示させるコンテンツを取得する。例えば、コンテンツ取得モジュール２１は、展示者のコンピュータが送信したコンテンツを受信することにより取得する。また、例えば、コンテンツ取得モジュール２１は、接続された展示者の補助記憶装置（ＵＳＢメモリ、ＳＤメモリカード等）からコンテンツを取得する。
【００５４】
対応属性取得モジュール２２は、取得したコンテンツに対応する属性を取得する（ステップＳ２１）。ステップＳ２１において、対応属性取得モジュール２２は、取得したコンテンツを展示する対象とする属性を展示者や運営者の端末装置等から取得する。属性は、上述した来場者の属性である。
【００５５】
コンテンツ対応付モジュール４１は、取得したコンテンツと、このコンテンツに対応する属性とを対応付ける（ステップＳ２２）。ステップＳ２２において、例えば、コンテンツ対応付モジュール４１は、農業高校の学生という属性と、農業分野のＡＩ・ＩｏＴに関するコンテンツとを対応付ける。
【００５６】
記憶モジュール３０は、コンテンツとこのコンテンツに対応する属性とを対応付けて記憶する（ステップＳ２３）。
【００５７】
以上が、コンテンツ対応付処理である。
【００５８】
なお、上述したコンテンツ対応付処理は、パビリオンの開催よりも前に行われてもよいし、パビリオン開催中に行われてもよい。また、予め展示者や運営者が、各コンテンツに対して対応する属性を設定することにより、本処理を省略してもよい。
【００５９】
［コンテンツ表示処理］
図６に基づいて、パビリオンコンテンツ変更システム１が実行するコンテンツ表示処理について説明する。図６は、コンピュータ１０、コンテンツ表示器２００が実行するコンテンツ表示処理のフローチャートを示す図である。上述した各装置のモジュールが実行する処理について、本処理に併せて説明する。
【００６０】
コンテンツ選択モジュール４２は、記憶モジュール３０が記憶する来場者データに基づいて、コンテンツ表示器２００に表示させるコンテンツを選択する（ステップＳ３０）。ステップＳ３０において、コンテンツ選択モジュール４２は、今回の来場者に適したコンテンツを選択する。コンテンツ選択モジュール４２は、記憶した来場者の属性に基づいて、コンテンツに対応付けられた属性を参照する。コンテンツ選択モジュール４２は、来場者の属性に対応付けられたコンテンツを、今回コンテンツ表示器２００に表示するコンテンツとして選択する。
【００６１】
コンテンツ選択モジュール４２は、所定の属性を有する場合、この所定の属性に対応するコンテンツを選択してもよい。例えば、コンテンツ選択モジュール４２は、来場者の職業に適したコンテンツを選択する。また、コンテンツ選択モジュール４２は、来場者の年齢に適したコンテンツを選択する。また、コンテンツ選択モジュール４２は、来場者の家族連れに適したコンテンツを選択する。また、コンテンツ選択モジュール４２は、来場者の集団人数に適したコンテンツを選択する。また、コンテンツ選択モジュール４２は、来場者の出身地に適したコンテンツを選択する。また、コンテンツ選択モジュール４２は、来場者が興味を持っている分野に適したコンテンツを選択する。また、コンテンツ選択モジュール４２は、来場者画像から認識した来場者の表情に基づいて、コンテンツを選択する。
【００６２】
コンテンツ選択モジュール４２は、所定の属性のみだけでなく、複数の属性に対応するコンテンツを選択してもよい。例えば、コンテンツ選択モジュール４２は、上述した各属性のうち、複数の組み合わせに対応するコンテンツを選択してもよい。
【００６３】
コンテンツ選択モジュール４２は、一のコンテンツを選択してもよいし、複数のコンテンツを選択してもよい。コンテンツ選択モジュール４２は、複数のコンテンツを選択する場合、選択したコンテンツのうち、来場者の属性が最も多く対応付けられたコンテンツから順番にコンテンツ表示器２００に表示させるために、番号付けを行えばよい。
【００６４】
コンテンツ選択モジュール４２は、記憶した来場者の属性が、複数存在するとき、この複数の其々に対応付けられたコンテンツのうち、最も多くの属性に対応付けられたコンテンツを選択する。なお、コンテンツ選択モジュール４２が選択するコンテンツとして、例えば、各属性に重み付けが行われ、来場者の属性に対応する属性のうち、最も重み付けが大きい属性に対応付けられたコンテンツを選択してもよい。また、コンテンツ選択モジュール４２は、一のコンテンツに複数の属性が対応付けられている場合、最も対応付けられた属性が多いコンテンツを選択してもよい。また、コンテンツ選択モジュール４２は、一のコンテンツに複数の属性が対応付けられている場合、各属性に重み付けが行われ、来場者の属性に対応する属性のうち、コンテンツに対応付けられた属性の重み付けの合計値が最も大きいコンテンツを選択してもよい。
【００６５】
コンテンツ配信モジュール２３は、選択したコンテンツを、コンテンツ表示器２００に配信する（ステップＳ３１）。
【００６６】
コンテンツ受信モジュール２５０は、コンピュータ１０が配信するコンテンツを受信する。コンテンツ表示モジュール２７０は、受信したコンテンツを表示する（ステップＳ３２）。ステップＳ３２において、コンテンツ表示モジュール２７０は、受信したコンテンツに基づいて、映像、音声等を表示する。パビリオンコンテンツ変更システム１は、コンテンツ表示器２００にコンテンツを表示させることにより、選択したコンテンツをパビリオンの会場に表示する。後述する第一のコンテンツ変更処理及び第二のコンテンツ変更処理においても、同様に、コンピュータ１０は、コンテンツを変更する指示を送信することにより、コンテンツ表示器２００は、この指示に基づいて、コンテンツを変更して表示してもよい。
【００６７】
以上が、コンテンツ表示処理である。
【００６８】
なお、コンテンツ表示処理において、コンピュータ１０が記憶するコンテンツを配信する構成として記載しているが、コンテンツは、コンテンツ表示器２００が記憶していてもよい。この場合、コンピュータ１０は、選択したコンテンツを表示させる指示を、コンテンツ表示器２００に対して送信し、この指示に基づいて、コンテンツ表示器２００は、自身が表示するコンテンツを選択し、選択したコンテンツを表示すればよい。
【００６９】
［第一のコンテンツ変更処理］
図７に基づいて、パビリオンコンテンツ変更システム１が実行する第一のコンテンツ変更処理について説明する。図７は、コンピュータ１０、コンテンツ表示器２００が実行する第一のコンテンツ変更処理のフローチャートを示す図である。上述した各装置のモジュールが実行する処理について、本処理に併せて説明する。
【００７０】
撮影モジュール２７１は、コンテンツを閲覧している見物人の動画や静止画を示す見物人画像を撮影する（ステップＳ４０）。ステップＳ４０において、撮影モジュール２７１は、常時見物人を撮影する。撮影モジュール２７１は、見物人画像を撮影している撮影日時を同時に取得する。
【００７１】
なお、撮影モジュール２７１は、所定時間毎（３０秒毎、１分毎、２分毎等）に見物人を撮影してもよい。
【００７２】
見物人画像送信モジュール２５１は、見物人画像及び撮影日時を示す見物人画像データを、コンピュータ１０に送信する（ステップＳ４１）。
【００７３】
見物人画像受信モジュール２４は、見物人画像データを受信する。顔認識モジュール４０は、受信した見物人画像データに基づいて、見物人画像を画像解析することにより、この見物人画像に含まれる見物人の顔認識を実行し、見物人の人数及び見物人の見物時間を解析する（ステップＳ４２）。ステップＳ４２において、顔認識モジュール４０は、顔認識の結果、複数の見物人がこのコンテンツを閲覧している場合、各見物人の見物時間を解析する。
【００７４】
顔認識モジュール４０は、解析結果に基づいて、見物人の顔又は見物人の人数に変化があったか否かを判断する（ステップＳ４２）。ステップＳ４２において、顔認識モジュール４０は、今回受信した見物人画像データと、これまでに受信した見物人画像データとを比較することにより、見物人に変化があったか否かを判断する。変化とは、例えば、見物人の人数の増減、見物人の全部又は一部の顔（顔の造形、風貌、身なり等）が異なるである。
【００７５】
ステップＳ４２において、顔認識モジュール４０は、変化がないと判断した場合（ステップＳ４２  ＮＯ）、変化があるまで本処理を繰り返す。
【００７６】
一方、ステップＳ４２において、顔認識モジュール４０は、変化があったと判断した場合（ステップＳ４２  ＹＥＳ）、顔認識モジュール４０は、見物人がコンテンツ表示器２００の前から離れたと判断し、見物状況算出モジュール４３は、変化があった見物人の人数及び見物時間を算出する（ステップＳ４３）。ステップＳ４３において、見物状況算出モジュール４３は、コンテンツ表示器２００の前から離れた見物人を最初に撮影した撮影日時と、今回変化があった時点における撮影日時とに基づいて、この見物人の見物時間を算出する。見物状況算出モジュール４３は、変化があった見物人及び変化がない見物人を、見物人の人数として算出する。
【００７７】
人気判断モジュール４４は、見物人の人数及び見物時間が所定条件を満たしているか否かを判断する（ステップＳ４４）。ステップＳ４４において、人気判断モジュール４４は、例えば、見物人の人数が複数人（３人、４人、５人等）及び見物人の見物時間が所定時間（５分以上、１０以上、このコンテンツの全ての内容を表示する時間以上）を満たしているか否かを判断する。
【００７８】
ステップＳ４４において、人気判断モジュール４４は、所定条件を満たしていると判断した場合（ステップＳ４４  ＹＥＳ）、人気判断モジュール４４は、このコンテンツは人気があるコンテンツであると判断し、現在、コンテンツ表示器２００が表示するコンテンツを人気コンテンツとして設定する（ステップＳ４５）。ステップＳ４５において、人気判断モジュール４４は、このコンテンツが、人気があるコンテンツであることを示す識別子を付与することにより、人気コンテンツとして記憶モジュール３０に記憶させる。コンテンツ選択モジュール４２は、以後、今回配信したコンテンツに対応付けられた属性の来場者がパビリオンの会場に来場した場合、このようにして設定した人気コンテンツを優先的に選択する。
【００７９】
一方、ステップＳ４４において、人気判断モジュール４４は、所定条件を満たしていないと判断した場合（ステップＳ４４  ＮＯ）、人気判断モジュール４４は、このコンテンツは人気がないコンテンツであると判断し、現在、コンテンツ表示器２００が表示するコンテンツを不人気コンテンツとして設定する（ステップＳ４６）。ステップＳ４６において、人気判断モジュール４４は、このコンテンツが、人気がないコンテンツであることを示す識別子を付与することにより、不人気コンテンツとして記憶モジュール３０に記憶させる。コンテンツ選択モジュール４２は、以後、今回配信したコンテンツに対応付けられた属性の来場者がパビリオンの会場に来場した場合、このようにして設定した不人気コンテンツを選択しない。
【００８０】
なお、コンピュータ１０は、不人気コンテンツを自身が記憶するコンテンツから削除してもよい。また、コンピュータ１０は、不人気コンテンツの提供元やパビリオンの運営者に対して、このコンテンツが不人気である旨の通知を行ってもよい。
【００８１】
コンテンツ変更モジュール４５は、現在コンテンツ表示器２００が表示する不人気コンテンツを別のコンテンツに変更する（ステップＳ４７）。ステップＳ４７において、コンテンツ変更モジュール４５は、今回コンテンツ表示器２００に送信したコンテンツを、このコンテンツに対応付けられた属性に対応付けられた別のコンテンツに変更する。
【００８２】
コンテンツ配信モジュール２３は、上述した変更したコンテンツを、コンテンツ表示器２００に配信する（ステップＳ４８）。
【００８３】
コンテンツ受信モジュール２５０は、コンピュータ１０が配信するコンテンツを受信する。コンテンツ表示モジュール２７０は、現在表示するコンテンツを、今回受信したコンテンツに変更して表示する（ステップＳ４９）。ステップＳ４９において、コンテンツ表示モジュール２７０は、前回表示したコンテンツが途中である場合であっても、今回受信したコンテンツに変更し、このコンテンツを表示する。コンテンツ表示モジュール２７０は、このコンテンツに基づいて、映像、音声等を表示する。パビリオンコンテンツ変更システム１は、コンテンツ表示器２００にコンテンツを変更して表示させることにより、人気がないと判断されたコンテンツとは別のコンテンツを表示するように変更する。
【００８４】
なお、コンテンツ表示器２００は、別のコンテンツに変更する際、既に表示したコンテンツを全て表示した後に、コンテンツを変更し、変更したコンテンツを表示してもよい。
【００８５】
以上が、第一のコンテンツ変更処理である。
【００８６】
［第二のコンテンツ変更処理］
図８に基づいて、パビリオンコンテンツ変更システム１が実行する第一のコンテンツ変更処理について説明する。図８は、コンピュータ１０、コンテンツ表示器２００が実行する第二のコンテンツ変更処理のフローチャートを示す図である。上述した各装置のモジュールが実行する処理について、本処理に併せて説明する。
【００８７】
撮影モジュール２７１は、コンテンツを閲覧している見物人の動画や静止画を示す見物人画像を撮影する（ステップＳ６０）。ステップＳ６０の処理は、上述したステップＳ４０の処理と同様であるため、詳細は省略する。
【００８８】
見物人画像送信モジュール２５１は、見物人画像及び撮影日時を示す見物人画像データを、コンピュータ１０に送信する（ステップＳ６１）。
【００８９】
見物人画像受信モジュール２４は、見物人画像データを受信する。顔認識モジュール４０は、受信した見物人画像データに基づいて、見物人画像を画像解析することにより、この見物人画像に含まれる見物人の顔認識を実行し、見物人の表情を解析する（ステップＳ６２）。ステップＳ６２において、顔認識モジュール４０は、顔認識の結果、複数の見物人がこのコンテンツを閲覧している場合、各見物人の表情を解析する。
【００９０】
顔認識モジュール４０は、見物人画像に含まれる顔の数に基づいて、見物人の人数を判断する。また、顔認識モジュール４０は、見物人の表情として、嬉しい、明るい、心奪われた、うっとり、興奮、真剣、驚き、笑いをこらえた等の正の感情の表情と、しらけ、不安、怯え、恐怖、疑い、無表情、諦め、不快、困った等の負の感情の表情とを判断する。
【００９１】
顔認識モジュール４０は、解析結果に基づいて、見物人の表情が正の感情の表情であるか否かを判断する（ステップＳ６３）。ステップＳ６３において、顔認識モジュール４０は、見物人の表情が正の感情の表情であるか、負の感情の表情であるかを判断する。
【００９２】
ステップＳ６３において、顔認識モジュール４０は、正の感情の表情であると判断した場合（ステップＳ６３  ＹＥＳ）、人気判断モジュール４４は、このコンテンツは人気があるコンテンツであると判断し、現在、コンテンツ表示器２００が表示するコンテンツを人気コンテンツとして設定する（ステップＳ６４）。ステップＳ６４の処理は、上述したステップＳ４５の処理と同様であるため、詳細は省略する。
【００９３】
一方、ステップＳ６３において、顔認識モジュール４０は、正の感情の表情ではないと判断した場合（ステップＳ６３  ＮＯ）、すなわち、負の感情の表情である場合、人気判断モジュール４４は、このコンテンツは人気がないコンテンツであると判断し、現在、コンテンツ表示器２００が表示するコンテンツを不人気コンテンツとして設定する（ステップＳ６５）。ステップＳ６５の処理は、上述したステップＳ４６の処理と同様であるため、詳細は省略する。
【００９４】
コンテンツ変更モジュール４５は、現在コンテンツ表示器２００が表示する不人気コンテンツを別のコンテンツに変更する（ステップＳ６６）。ステップＳ６６の処理は、上述したステップＳ４７の処理と同様であるため、詳細は省略する。
【００９５】
コンテンツ配信モジュール２３は、上述した変更したコンテンツを、コンテンツ表示器２００に配信する（ステップＳ６７）。
【００９６】
コンテンツ受信モジュール２５０は、コンピュータ１０が配信するコンテンツを受信する。コンテンツ表示モジュール２７０は、現在表示するコンテンツを、今回受信したコンテンツに変更して表示する（ステップＳ６８）。ステップＳ６８の処理は、上述したステップＳ４９の処理と同様であるため、詳細は省略する。
【００９７】
以上が、第二のコンテンツ変更処理である。
【００９８】
上述した第一のコンテンツ変更処理と第二の変更処理とは、異なる処理として説明しているが、一の処理であってもよい。すなわち、パビリオンコンテンツ変更システム１は、見物人の人数、見物時間及び表情に基づいて、コンテンツの人気を判断してもよい。
【００９９】
上述した手段、機能は、コンピュータ（ＣＰＵ、情報処理装置、各種端末を含む）が、所定のプログラムを読み込んで、実行することによって実現される。プログラムは、例えば、コンピュータからネットワーク経由で提供される（ＳａａＳ：ソフトウェア・アズ・ア・サービス）形態で提供される。また、プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置又は外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【０１００】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【０１０１】
１  パビリオンコンテンツ変更システム、１０  コンピュータ、１００  入場端末、２００  コンテンツ表示器
【図１】
2018216213.tif 000003
【図２】
2018216213.tif 000004
【図３】
2018216213.tif 000005
【図４】
2018216213.tif 000006
【図５】
2018216213.tif 000007
【図６】
2018216213.tif 000008
【図７】
2018216213.tif 000009
【図８】
2018216213.tif 000010
【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
パビリオンの来場者の属性によってコンテンツを変更するコンピュータシステムであって、
前記来場者の属性を取得する取得手段と、
前記属性に応じてコンテンツを選択する選択手段と、
選択した前記コンテンツを、前記パビリオンの会場に表示する表示手段と、
表示した前記コンテンツが人気があるかないかを判定する判定手段と、
人気がないと判定された場合に、表示した前記コンテンツとは別のコンテンツを表示するように変更する変更手段と、
を備え、
前記選択手段は、人気があると判定された場合に、表示した前記コンテンツに応じた属性の別の来場者が前記パビリオンの会場に来場した場合、当該コンテンツを優先的に選択する、
ことを特徴とするコンピュータシステム。
【請求項２】
前記取得手段は、事前アンケートから来場者の属性を取得する、
ことを特徴とする請求項１に記載のコンピュータシステム。
【請求項３】
前記取得手段は、入場者に顔認識を行って来場者の属性を取得する、
ことを特徴とする請求項１に記載のコンピュータシステム。
【請求項４】
前記選択手段は、来場者の職業に適した前記コンテンツを選択する、
ことを特徴とする請求項１に記載のコンピュータシステム。
【請求項５】
前記選択手段は、来場者の年齢に適した前記コンテンツを選択する、
ことを特徴とする請求項１に記載のコンピュータシステム。
【請求項６】
前記選択手段は、来場者の家族連れに適した前記コンテンツを選択する、
ことを特徴とする請求項１に記載のコンピュータシステム。
【請求項７】
前記選択手段は、来場者の集団人数に適した前記コンテンツを選択する、
ことを特徴とする請求項１に記載のコンピュータシステム。
【請求項８】
前記選択手段は、来場者の出身地に適した前記コンテンツを選択する、
ことを特徴とする請求項１に記載のコンピュータシステム。
【請求項９】
前記選択手段は、来場者が興味を持っている分野に適した前記コンテンツを選択する、
ことを特徴とする請求項１に記載のコンピュータシステム。
【請求項１０】
前記判定手段は、表示した前記コンテンツを見ている見物人の画像を解析して、見物人数及び見物時間に基づいて、人気があるかないかを判定する、
ことを特徴とする請求項１に記載のコンピュータシステム。
【請求項１１】
前記選択手段は、来場者を撮影した画像から、当該来場者の表情を判断し、判断した表情から前記コンテンツを選択する、
ことを特徴とする請求項１に記載のコンピュータシステム。
【請求項１２】
パビリオンの来場者の属性によってコンテンツを変更するコンピュータシステムが実行するパビリオンコンテンツ変更方法であって、
前記来場者の属性を取得するステップと、
前記属性に応じてコンテンツを選択するステップと、
選択した前記コンテンツを、前記パビリオンの会場に表示するステップと、
表示した前記コンテンツが人気があるかないかを判定するステップと、
人気がないと判定された場合に、表示した前記コンテンツとは別のコンテンツを表示するように変更するステップと、
人気があると判定された場合に、表示した前記コンテンツに応じた属性の別の来場者が前記パビリオンの会場に来場した場合、当該コンテンツを優先的に選択するステップと、
を備えることを特徴とするパビリオンコンテンツ変更方法。
【請求項１３】
パビリオンの来場者の属性によってコンテンツを変更するコンピュータシステムに、
前記来場者の属性を取得するステップ、
前記属性に応じてコンテンツを選択するステップ、
選択した前記コンテンツを、前記パビリオンの会場に表示するステップ、
表示した前記コンテンツが人気があるかないかを判定するステップ、
人気がないと判定された場合に、表示した前記コンテンツとは別のコンテンツを表示するように変更するステップ、
人気があると判定された場合に、表示した前記コンテンツに応じた属性の別の来場者が前記パビリオンの会場に来場した場合、当該コンテンツを優先的に選択するステップ、
を実行させるためのコンピュータ読み取り可能なプログラム。
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
パビリオンの来場者の属性によってコンテンツを変更するコンピュータシステムであって、
前記属性とは、性別、年齢、職業、住所、同伴者数、出身地、嗜好のいずれか又は複数の組み合わせであり、
前記コンテンツに、前記属性を対応付けるコンテンツ対応付手段と、
前記来場者の属性を取得する取得手段と、
前記コンテンツの属性と、前記来場者の属性に応じてコンテンツを選択する選択手段と、
選択した前記コンテンツを、前記パビリオンの会場に表示する表示手段と、
表示した前記コンテンツが人気があるかないかを判定する判定手段と、
人気がないと判定された場合に、表示した前記コンテンツに対応付けられた属性に対応付けられた別のコンテンツを表示するように変更する変更手段と、
を備えることを特徴とするコンピュータシステム。
【請求項２】
前記取得手段は、事前アンケートから来場者の属性を取得する、
ことを特徴とする請求項１に記載のコンピュータシステム。
【請求項３】
前記取得手段は、入場者に顔認識を行って来場者の属性を取得する、
ことを特徴とする請求項１に記載のコンピュータシステム。
【請求項４】
前記選択手段は、来場者の職業に適した前記コンテンツを選択する、
ことを特徴とする請求項１に記載のコンピュータシステム。
【請求項５】
前記選択手段は、来場者の年齢に適した前記コンテンツを選択する、
ことを特徴とする請求項１に記載のコンピュータシステム。
【請求項６】
前記選択手段は、来場者の家族連れに適した前記コンテンツを選択する、
ことを特徴とする請求項１に記載のコンピュータシステム。
【請求項７】
前記選択手段は、来場者の集団人数に適した前記コンテンツを選択する、
ことを特徴とする請求項１に記載のコンピュータシステム。
【請求項８】
前記選択手段は、来場者の出身地に適した前記コンテンツを選択する、
ことを特徴とする請求項１に記載のコンピュータシステム。
【請求項９】
前記選択手段は、来場者が興味を持っている分野に適した前記コンテンツを選択する、
ことを特徴とする請求項１に記載のコンピュータシステム。
【請求項１０】
前記判定手段は、表示した前記コンテンツを見ている見物人の画像を解析して、見物人数及び見物時間に基づいて、人気があるかないかを判定し、人気があるかないかの識別子を前記コンテンツに追加する、
ことを特徴とする請求項１に記載のコンピュータシステム。
【請求項１１】
前記選択手段は、来場者を撮影した画像から、当該来場者の表情を判断し、判断した表情から前記コンテンツを選択する、
ことを特徴とする請求項１に記載のコンピュータシステム。
【請求項１２】
パビリオンの来場者の属性によってコンテンツを変更するコンピュータシステムが実行するパビリオンコンテンツ変更方法であって、
前記属性とは、性別、年齢、職業、住所、同伴者数、出身地、嗜好のいずれか又は複数の組み合わせであり、
前記コンテンツに、前記属性を対応付けるステップと、
前記来場者の属性を取得するステップと、
前記コンテンツの属性と、前記来場者の属性に応じてコンテンツを選択するステップと、
選択した前記コンテンツを、前記パビリオンの会場に表示するステップと、
表示した前記コンテンツが人気があるかないかを判定するステップと、
人気がないと判定された場合に、表示した前記コンテンツに対応付けられた属性に対応付けられた別のコンテンツを表示するように変更するステップと、
を備えることを特徴とするパビリオンコンテンツ変更方法。
【請求項１３】
パビリオンの来場者の属性によってコンテンツを変更するコンピュータシステムに、
前記コンテンツに、性別、年齢、職業、住所、同伴者数、出身地、嗜好のいずれか又は複数の組み合わせである前記属性を対応付けるステップ、
前記来場者の属性を取得するステップ、
前記コンテンツの属性と、前記来場者の属性に応じてコンテンツを選択するステップ、
選択した前記コンテンツを、前記パビリオンの会場に表示するステップ、
表示した前記コンテンツが人気があるかないかを判定するステップ、
人気がないと判定された場合に、表示した前記コンテンツに対応付けられた属性に対応付けられた別のコンテンツを表示するように変更するステップ、
を実行させるためのコンピュータ読み取り可能なプログラム。
【手続補正２】
【補正対象書類名】明細書
【補正対象項目名】０００９
【補正方法】変更
【補正の内容】
【０００９】
本発明は、パビリオンの来場者の属性によってコンテンツを変更するコンピュータシステムであって、
前記属性とは、性別、年齢、職業、住所、同伴者数、出身地、嗜好のいずれか又は複数の組み合わせであり、
前記コンテンツに、前記属性を対応付けるコンテンツ対応付手段と、
前記来場者の属性を取得する取得手段と、
前記コンテンツの属性と、前記来場者の属性に応じてコンテンツを選択する選択手段と、
選択した前記コンテンツを、前記パビリオンの会場に表示する表示手段と、
表示した前記コンテンツを見ている見物人の画像を解析して、見物人数及び見物時間に基づいて、表示した前記コンテンツが人気があるかないかを判定し、人気があるかないかの識別子を前記コンテンツに追加する判定手段と、
人気がないと判定された場合に、表示した前記コンテンツに対応付けられた属性に対応付けられた別のコンテンツを表示するように変更する変更手段と、
を備えることを特徴とするコンピュータシステムを提供する。
【手続補正３】
【補正対象書類名】明細書
【補正対象項目名】００１０
【補正方法】変更
【補正の内容】
【００１０】
本発明によれば、パビリオンの来場者の属性によってコンテンツを変更するコンピュータシステムは、前記属性は、性別、年齢、職業、住所、同伴者数、出身地、嗜好のいずれか又は複数の組み合わせであり、前記コンテンツに、前記属性を対応付け、前記来場者の属性を取得し、前記コンテンツの属性と、前記来場者の属性に応じてコンテンツを選択し、選択した前記コンテンツを、前記パビリオンの会場に表示し、表示した前記コンテンツを見ている見物人の画像を解析して、見物人数及び見物時間に基づいて、表示した前記コンテンツが人気があるかないかを判定し、人気があるかないかの識別子を前記コンテンツに追加し、人気がないと判定された場合に、表示した前記コンテンツに対応付けられた属性に対応付けられた別のコンテンツを表示するように変更する。
【国際調査報告】
2018216213.tif 000011
2018216213.tif 000012
2018216213.tif 000013
2018216213.tif 000014